(57)【要約】      （修正有）【課題】地盤の掘削位置においてカッターを前記地盤の中で下降させているとき及び上昇させているときに前記地盤の上方へ舞い上がった土砂が前記掘削位置の周囲へ飛散するのを防ぐことができるカバーを有した掘削機を提供する。【解決手段】地盤を掘削する掘削機１２は、前記地盤の上のフレーム１４と、水平な第１回転軸２６の周りに回転可能に前記フレームに取り付けられ、該フレームから伸びるブーム１６と、該ブームから吊り下げられたカッター１８と、該カッターを覆って該カッターから上方へ伸び、前記第１回転軸に平行な第２回転軸４０の周りに回転可能に前記ブームに取り付けられたカバー２０とを含む。前記掘削機は、前記カバー２０と前記ブームとを前記第２回転軸の下方において連結する連結手段４２を含む。前記連結手段は、一端部が前記カバーに取り付けられ、他端部が前記ブームに取り付けられた少なくとも１本の伸縮可能な棒状部材４４からなる。【選択図】図１
0003155947.tif 000002
【実用新案登録請求の範囲】
【請求項１】
地盤を掘削する掘削機であって、
前記地盤の上のフレームと、
前記フレームに回転可能に取り付けられ、該フレームから伸びるブームと、
前記ブームから吊り下げられたカッターと、
前記カッターを覆って該カッターから上方へ伸び、前記ブームに取り付けられたカバーとを含む、掘削機。
【請求項２】
地盤を掘削する掘削機であって、
前記地盤の上のフレームと、
水平な第１回転軸の周りに回転可能に前記フレームに取り付けられ、該フレームから伸びるブームと、
前記ブームから吊り下げられたカッターと、
前記カッターを覆って該カッターから上方へ伸び、前記第１回転軸に平行な第２回転軸の周りに回転可能に前記ブームに取り付けられたカバーとを含む、掘削機。
【請求項３】
前記カバーと前記ブームとを前記第２回転軸の下方において連結する連結手段を含む、請求項２に記載の掘削機。
【請求項４】
前記連結手段は、一端部が前記カバーに取り付けられ、他端部が前記ブームに取り付けられた少なくとも１本の伸縮可能な棒状部材からなる、請求項３に記載の掘削機。
【請求項５】
前記カバーはコ字状の断面形状を有する、請求項１ないし４のいずれか１項に記載の掘削機。
【請求項６】
前記カバーの下端部は前記カッターの下端部より高い位置にある、請求項１ないし５のいずれか１項に記載の掘削機。
【請求項７】
前記カバーの下端部に取り付けられた、該下端部から垂れ下がるシートを含む、請求項１ないし６のいずれか１項に記載の掘削機。
【考案の詳細な説明】
【技術分野】
【０００１】
本考案は、地盤を掘削する掘削機に関する。
【背景技術】
【０００２】
従来、地盤を掘削する掘削機には、前記地盤の上で走行可能な走行体と、該走行体の上のフレームと、該フレームに回転可能に取り付けられ、前記フレームから伸びるブームと、該ブームから吊り下げられたカッターとを含むものがある（特許文献１参照）。前記地盤の掘削位置において該地盤を掘削するとき、まず、前記掘削位置に前記カッターを配置し、その後、前記カッターを前記地盤の中へ下降させる。このとき、前記カッターは前記地盤から土砂を削り取る。
【０００３】
前記カッターを前記地盤の中へ下降させているとき、前記カッターからセメントミルクを噴出させる。前記セメントミルクは、前記カッターにより削り取られた土砂と混合される。その後、前記カッターを前記地盤の上まで上昇させる。これにより、前記土砂と前記セメントミルクとの混合物で満たされた孔が前記地盤に形成される。
【０００４】
その後、前記カッターがその水平方向における長さ寸法に相当する距離より短い距離だけ水平方向に移動するように前記走行体を前記地盤の上で走行させる。その後、再び、前記カッターを前記地盤の中へ下降させつつ前記カッターからセメントミルクを噴出させ、前記カッターを前記地盤の上まで上昇させる。これにより、既に形成された孔に隣接しかつこれと連通する、前記混合物で満たされた新たな孔が前記地盤に形成される。その後、前記新たな孔の前記地盤への形成を繰り返す。これにより、前記混合物で満たされた、隣接しかつ連通する複数の孔が前記地盤に形成され、前記混合物は硬化して壁体を構成する。このようにして前記地盤の中に前記壁体を形成する方法は地中連続壁工法と呼ばれており、前記壁体は、例えば、土留め壁として用いられる。
【先行技術文献】
【特許文献】
【０００５】
【特許文献１】特開平８−０２７８３４号公報
【考案の概要】
【考案が解決しようとする課題】
【０００６】
しかし、前記掘削位置において前記カッターを前記地盤の中で下降させているとき及び上昇させているとき、前記カッターにより削り取られた前記土砂は、前記セメントミルクとともに前記地盤の上方へ舞い上がり、前記掘削位置の周囲へ飛散することがある。これにより、前記掘削位置の周囲の環境が悪化する。
【０００７】
本考案の目的は、地盤の掘削位置においてカッターを前記地盤の中で下降させているとき及び上昇させているときに前記地盤の上方へ舞い上がった土砂が前記掘削位置の周囲へ飛散するのを防ぐことである。
【課題を解決するための手段】
【０００８】
本考案は、前記カッターを覆って該カッターから上方へ伸びるカバーにより、前記カッターの前記地盤の中での昇降時に前記地盤の上方へ舞い上がった土砂が前記掘削位置の周囲へ飛散するのを防ぐ。
【０００９】
本考案に係る、地盤を掘削する掘削機は、前記地盤の上のフレームと、該フレームに回転可能に取り付けられ、該フレームから伸びるブームと、該ブームから吊り下げられたカッターと、該カッターを覆って前記カッターから上方へ伸び、前記ブームに取り付けられたカバーとを含む。
【００１０】
前記地盤の掘削位置において該地盤を掘削するとき、まず、前記掘削位置に前記カッターを配置し、次に、前記カッターを前記地盤の中へ下降させ、その後、前記カッターを前記地盤の上へ上昇させる。このとき、前記カッターは前記地盤から土砂を削り取り、削り取られた土砂は前記地盤の上方へ舞い上がる。前記掘削機が、前記カッターを覆って該カッターから上方へ伸びる前記カバーを有することにより、前記地盤の上方へ舞い上がった前記土砂が前記掘削位置の周囲へ飛散するのを防ぐことができる。これにより、前記掘削位置の周囲の環境が悪化するのを防止することができる。
【００１１】
本考案に係る、地盤を掘削する掘削機は、前記地盤の上のフレームと、水平な第１回転軸の周りに回転可能に前記フレームに取り付けられ、該フレームから伸びるブームと、該ブームから吊り下げられたカッターと、該カッターを覆って前記カッターから上方へ伸び、前記第１回転軸に平行な第２回転軸の周りに回転可能に前記ブームに取り付けられたカバーとを含む。
【００１２】
前記掘削位置に前記カッターを配置したとき、該カッターの位置が前記掘削位置からずれている場合、前記カッターの位置を調整するために前記ブームを回転させる。仮に、前記カバーが前記ブームに対して回転することができない場合、前記ブームを回転させたとき、前記カバーが前記ブームとともに回転して前記カッターに当たり、該カッターの昇降が妨げられる恐れがある。前記カバーが、前記ブームに対して、該ブームの回転中心である前記第１回転軸に平行な前記第２回転軸の周りに回転可能であることにより、前記ブームを回転させたときに前記カバーが前記ブームとともに回転しないようにすることができる。このため、前記ブームを回転させたときに前記カバーが前記カッターに当たることはなく、前記カッターの昇降が妨げることはない。
【００１３】
前記掘削機は、前記カバーと前記ブームとを前記第２回転軸の下方において連結する連結手段を含む。これにより、強風時に前記カバーが揺れるのを防止することができる。前記連結手段は、一端部が前記カバーに取り付けられ、他端部が前記ブームに取り付けられた少なくとも１本の伸縮可能な棒状部材からなる。これにより、前記ブームを回転させたときに前記カバーが前記ブームに対して回転して前記第２回転軸の下方における前記カバーと前記ブームとの間の間隔が変化したとき、この変化に応じて前記棒状部材を伸縮させることができる。このため、前記ブームを回転させたときに前記カバーを前記ブームとともに回転させることなく強風時における前記カバーの揺れを防止することができる。
【００１４】
前記カバーはコ字状の断面形状を有する。これにより、前記カバーが開放されている方向から前記カッターを目視し、該カッターに触れることができる。このため、前記カッターの保守点検が容易である。前記カバーの下端部は前記カッターの下端部より高い位置にある。これにより、前記カッターの下端部をその周囲から見ることができ、前記カッターの位置を容易に確認することができる。このため、前記カッターの前記掘削位置への配置を容易に行うことができる。
【００１５】
前記掘削機は、前記カバーの下端部に取り付けられた、該下端部から垂れ下がるシートを有するものとすることができる。前記地盤の掘削は、前記シートの下端部を前記地盤に接触させた状態で行う。前記地盤の掘削時、前記シートは、前記地盤の上方へ舞い上がった前記土砂が前記カバーの下端部と前記地盤との間を経て前記掘削位置の周囲へ飛散するのを阻止する。これにより、前記掘削位置の周囲の環境の悪化をより効果的に防止することができる。
【考案の効果】
【００１６】
本考案によれば、地盤を掘削する掘削機が、カッターを覆って該カッターから上方へ伸びるカバーを有することにより、前記地盤の掘削位置において前記カッターを前記地盤の中で下降させているとき及び上昇させているときに前記地盤の上方へ舞い上がった土砂が前記掘削位置の周囲へ飛散するのを防ぐことができる。これにより、前記掘削位置の周囲の環境が悪化するのを防止することができる。
【図面の簡単な説明】
【００１７】
【図１】本考案の第１実施例に係る掘削機の側面図。
【図２】本考案の第１実施例に係る掘削機の正面図。
【図３】図２の線３におけるカバーの断面図。
【図４】図３の線４におけるカバーの背面図。
【図５】図１の線５におけるカバーの断面図。
【図６】地盤を掘削しているときにおける、本考案の第１実施例に係る掘削機の側面図。
【図７】ブームを回転させた状態で地盤を掘削しているときにおける、本考案の第１実施例に係る掘削機の側面図。
【図８】本考案の第２実施例に係る掘削機の側面図。
【図９】地盤を掘削しているときにおける、本考案の第２実施例に係る掘削機の側面図。
【考案を実施するための形態】
【００１８】
図１、２に示すように、地盤１０を掘削する掘削機１２が用意されている。掘削機１２は、地盤１０の上のフレーム１４と、該フレームに回転可能に取り付けられ、フレーム１４から伸びるブーム１６と、該ブームから吊り下げられたカッター１８と、該カッターを覆ってカッター１８から上方へ伸び、ブーム１６に取り付けられたカバー２０とを含む。
【００１９】
掘削機１２は、地盤１０の上で走行可能な走行体２２を有し、フレーム１４は走行体２２の上にあって該走行体に旋回可能に取り付けられている。走行体２２の形式は、図１に示した例では、クローラ式であるが、これに代え、ホイール式のような他の形式でもよい。フレーム１４の上に運転室２４が設けられている。
【００２０】
ブーム１６は、水平な第１回転軸２６の周りに回転可能であり、起立位置と倒伏位置との間で動作可能である。ブーム１６は、前記起立位置にあるとき、図１に示したように、上下方向に対して僅かに傾斜している。カッター１８は、水平な軸線の周りに回転可能な複数の刃２８と、該刃の近傍にあってセメントミルクを噴出する噴出口（図示せず）とを有する。刃２８は回転時に地盤１０から土砂を削り取る。
【００２１】
ブーム１６の上端部にシーブ３０が取り付けられている。掘削機１２は、カッター１８を昇降させる昇降装置３２を有し、該昇降装置は、シーブ３０に掛けられて一端部がカッター１８に固定されたワイヤロープ３４と、該ワイヤロープの他端部が固定され、フレーム１４に取り付けられたドラム３６とを有する。ドラム３６は、カッター１８を下降させるときにワイヤロープ３４を送り出し、カッター１８を上昇させるときにワイヤロープ３４を巻き取る。シーブ３０に、カッター１８に電力を送る電線３８が掛けられており、該電線はカッター１８に接続されている（図２）。
【００２２】
カバー２０は、第１回転軸２６に平行な第２回転軸４０の周りに回転可能である。掘削機１２は、カバー２０とブーム１６とを第２回転軸４０の下方において連結する連結手段４２を有し、該連結手段は、一端部がカバー２０に取り付けられ、他端部がブーム１６に取り付けられた少なくとも１本の伸縮可能な棒状部材４４からなる。棒状部材４４は、図１に示した例では、液圧シリンダーであるが、これに代え、気圧シリンダーでもよいし、ターンバックルでもよい。
【００２３】
カバー２０の上端部４６はブーム１６の上端部とほぼ同じ高さに位置し、カバー２０の下端部４８はカッター１８の下端部より高い位置にある。第２回転軸４０はカバー２０の上端部４６に、連結手段４２はカバー２０の下端部４８にそれぞれ配置されている。カバー２０は、コ字状の断面形状を有し、ブーム１６の上端部を受け入れている。カバー２０は、鋼製であるが、これに代え、プラスチックのような他の材料からなるものでもよい。
【００２４】
ブーム１６は、該ブームの上端部に設けられたブラケット５０を有する。カバー２０は、相対する一対の側部５２と、該側部の間の端部５４と、該端部に取り付けられ、端部５４から内方へ伸びる横部材５６と、該横部材に取り付けられ、横部材５６から下方へ伸びる縦部材５８とを有する。図３、４に示すように、カバー２０の縦部材５８はブーム１６のブラケット５０を受け入れており、第２回転軸４０はカバー２０の縦部材５８とブーム１６のブラケット５０とを貫いている。
【００２５】
連結手段４２は、図５に示す例では、水平方向に間隔を置かれた複数の棒状部材４４からなる。カバー２０は、該カバーの側部５２の間に配置され、一端部が一方の側部５２に、他端部が他方の側部５２にそれぞれ取り付けられた水平部材６０を有し、各棒状部材４４の一端部はカバー２０の水平部材６０に回転可能に取り付けられている。ブーム１６は、該ブームの外面に取り付けられた、カバー２０の水平部材６０に平行な水平部材６２を有し、各棒状部材４４の他端部はブーム１６の水平部材６２に回転可能に取り付けられている。連結手段４２は、複数の棒状部材４４からなる図５に示した例に代え、１本の棒状部材４４からなるものでもよい。
【００２６】
地盤１０の掘削位置において該地盤を掘削するとき、まず、前記掘削位置にカッター１８を配置し、該カッターの刃２８を回転させる。次に、図６に示すように、カッター１８を地盤１０の中へ下降させつつカッター１８からセメントミルクを噴出させる。このとき、カッター１８は地盤１０から土砂を削り取り、削り取られた土砂は前記セメントミルクと混合され、前記土砂と前記セメントミルクとの混合物６４はカッター１８の刃２８の回転により撹拌される。その後、カッター１８を地盤１０の上まで上昇させる。これにより、混合物６４で満たされた孔６６が地盤１０に形成される。
【００２７】
その後、カッター１８をその水平方向における長さ寸法６８（図２）に相当する距離より短い距離だけ水平方向（図６における奥行き方向）に移動させるように走行体２２を地盤１０の上で走行させる。その後、再び、カッター１８を地盤１０の中へ下降させつつカッター１８からセメントミルクを噴出させ、その後、カッター１８を地盤１０の上まで上昇させる。これにより、既に形成された孔６６に隣接しかつこれと連通する、混合物６４で満たされた新たな孔（図示せず）が地盤１０に形成される。その後、前記新たな孔の地盤１０への形成を繰り返す。これにより、混合物６４で満たされた、隣接しかつ連通する複数の孔（すなわち溝）が地盤１０に形成され、混合物６４は硬化して壁体（図示せず）を構成する。前記壁体は、土留め壁、遮水壁等として用いられる。
【００２８】
カッター１８を地盤１０の中で下降させているとき及び上昇させているとき、混合物６４は地盤１０の上方へ舞い上がる。掘削機１２が、カッター１８を覆って該カッターから上方へ伸びるカバー２０を有することにより、地盤１０の上方へ舞い上がった混合物が前記掘削位置の周囲へ飛散するのを防ぐことができる。これにより、前記掘削位置の周囲の環境が悪化するのを防止することができる。
【００２９】
ところで、前記掘削位置にカッター１８を配置したときに該カッターの位置が前記掘削位置からずれている場合、カッター１８の位置を調整するためにブーム１６を回転させる。仮に、カバー２０がブーム１６に対して回転することができない場合、ブーム１６を回転させたとき、カバー２０がブーム１６とともに回転してカッター１８に当たり、該カッターの昇降が妨げられる恐れがある。カバー２０が、ブーム１６に対して、該ブームの回転中心である第１回転軸２６に平行な第２回転軸４０の周りに回転可能であることにより、図７に示すように、ブーム１６を回転させたときにカバー２０がブーム１６とともに回転しないようにすることができる。このため、ブーム１６を回転させたとしてもカバー２０がカッター１８に当たることはなく、カッター１８の昇降が妨げることはない。
【００３０】
掘削機１２が、カバー２０とブーム１６とを連結する連結手段４２を有することにより、強風時にカバー２０が揺れるのを防止することができる。連結手段４２が、一端部がカバー２０に取り付けられ、他端部がブーム１６に取り付けられた伸縮可能な棒状部材４４からなることにより、ブーム１６を回転させたときにカバー２０がブーム１６に対して回転して第２回転軸４０の下方におけるカバー２０とブーム１６との間の間隔が変化したとき、この変化に応じて棒状部材４４を伸縮させることができる（図７）。これにより、ブーム１６を回転させたときにカバー２０をブーム１６とともに回転させることなく強風時におけるカバー２０の揺れを防止することができる。
【００３１】
カッター１８を覆うカバー２０がコ字状の断面形状を有することにより、カバー２０が開放されている方向からカッター１８を目視し、該カッターに触れることができる。このため、カッター１８の保守点検が容易である。カバー２０の下端部４８がカッター１８の下端部より高い位置にあることにより、カッター１８の下端部をその周囲から見ることができ、カッター１８の位置を容易に確認することができる。これにより、カッター１８の前記掘削位置への配置を容易に行うことができる。
【００３２】
カバー２０の断面形状は、コ字状である図示の例に代え、矩形、円形等でもよい。カバー２０の上端部４６は、ブーム１６の上端部とほぼ同じ高さに位置する図１に示した例に代え、ブーム１６の上端部より高い位置にあってもよいし、ブーム１６の上端部より低い位置にあってもよい。カバー２０の下端部４８は、カッター１８の下端部より高い位置にある図１に示した例に代え、カッター１８の下端部と同じ高さに位置してもよいし、カッター１８の下端部より低い位置にあってもよい。第２回転軸４０がカバー２０の上端部４６に、連結手段４２がカバー２０の下端部４８にそれぞれ配置されている図１に示した例に代え、第２回転軸４０がカバー２０の上端部４６に、連結手段４２がカバー２０の中間部７０にそれぞれ配置されていてもよいし、第２回転軸４０がカバー２０の中間部７０に、連結手段４２がカバー２０の下端部４８にそれぞれ配置されていてもよい。
【００３３】
図８に示す例では、掘削機１２は、カバー２０の下端部４８に取り付けられた、該下端部から垂れ下がるシート７２を有する。シート７２は、カバー２０の断面形状と等しい断面形状を有し、カッター１８の下端部を覆っている。シート７２は、いわゆるブルーシートのような合成樹脂製のシートであり、比較的柔軟である。シート７２は、合成樹脂からなる上記の例に代え、ゴム、布等の他の材料からなるものでもよい。図９に示すように、地盤１０の掘削は、シート７２の下端部を地盤１０に接触させた状態で行う。シート７２は、地盤１０の掘削時に該地盤の上方へ舞い上がった前記混合物がカバー２０の下端部４８と地盤１０との間を経て地盤１０の掘削位置の周囲へ飛散するのを阻止する。これにより、前記掘削位置の周囲の環境の悪化をより効果的に防止することができる。
【符号の説明】
【００３４】
１０    地盤
１２    掘削機
１４    フレーム
１６    ブーム
１８    カッター
２０    カバー
２６    第１回転軸
４０    第２回転軸
４２    連結手段
４４    棒状部材
７２    シート
【図１】
0003155947.tif 000003
【図２】
0003155947.tif 000004
【図３】
0003155947.tif 000005
【図４】
0003155947.tif 000006
【図５】
0003155947.tif 000007
【図６】
0003155947.tif 000008
【図７】
0003155947.tif 000009
【図８】
0003155947.tif 000010
【図９】
0003155947.tif 000011